(57)【要約】  ワイヤレス通信のための方法、システム、およびデバイスについて説明する。ユーザ機器(UE)は、UE毎のPCRSシグナリングを可能にするために、位相雑音補償基準信号(PCRS)構成を基地局に報告し得る。たとえば、UEは、位相雑音によって影響されることがある、6GHzよりも大きいキャリア周波数を使用するワイヤレス通信システムにおいて動作し得る。したがって、UEは、信号を受信する能力に基づいてPCRS構成を決定し得る。PCRS構成は、1つまたは複数のPCRSのためのリソースマッピング、PCRSに使用されるPCRSポートの数、1つまたは複数のPCRSポートのための多重化方式、あるいはUEの位相雑音推定能力を含み得る。次いで、UEは、PCRS構成を含む報告メッセージを基地局に送信し得る。基地局は、UEへのPCRS送信のためにPCRS構成を使用し得る。
2019535166.tif 000002
【特許請求の範囲】
【請求項１】
ユーザ機器(UE)におけるワイヤレス通信のための方法であって、
6GHzよりも大きいキャリア周波数を使用する通信システムにおいて前記UEが信号を受信する能力を識別するステップと、
前記識別された能力に少なくとも部分的に基づいて、位相雑音補償基準信号(PCRS)構成を決定するステップと、
前記決定されたPCRS構成を備える報告メッセージを基地局に送信するステップと
を備える方法。
【請求項２】
1つまたは複数のPCRSのためのリソースマッピングパターンを決定するステップであって、前記PCRS構成が、前記決定されたリソースマッピングパターンを備える、ステップ
をさらに備える、請求項1に記載の方法。
【請求項３】
PCRSに使用されるPCRSポートの数を決定するステップであって、前記PCRS構成が、前記PCRSポートの決定された数を備える、ステップ
をさらに備える、請求項1に記載の方法。
【請求項４】
1つまたは複数のPCRSポートに使用される多重化方式を決定するステップであって、前記PCRS構成が、前記決定された多重化方式を備える、ステップ
をさらに備える、請求項1に記載の方法。
【請求項５】
前記多重化方式が、前記1つまたは複数のPCRSポートに対応するPCRSプリコーダを備える、請求項4に記載の方法。
【請求項６】
前記1つまたは複数のPCRSポートが、それぞれの復調基準信号(DMRS)ポートにマッピングされる、請求項5に記載の方法。
【請求項７】
前記多重化方式が、単一のリソース上に多重化された前記1つまたは複数のPCRSポートあるいはリソースのセットにわたって多重化された単一のPCRSポートの一方または両方を備える、請求項4に記載の方法。
【請求項８】
位相雑音推定能力を決定するステップであって、前記PCRS構成が、前記決定された位相雑音推定能力を備える、ステップ
をさらに備える、請求項1に記載の方法。
【請求項９】
DMRSポートの第1のセットに対応する第1のチャネル推定値を識別するステップと、
DMRSポートの第2のセットに対応する第2のチャネル推定値を識別するステップと、
前記第1のチャネル推定値および前記第2のチャネル推定値に少なくとも部分的に基づいて、重畳チャネルを生成するステップと、
前記生成された重畳チャネルおよび単一のリソース上に多重化されたPCRSに少なくとも部分的に基づいて、位相雑音を推定するステップであって、前記PCRSが、DMRSまたはUE固有基準信号(UERS)を備えるダウンリンク基準信号に使用される同じプリコーダでプリコードされる、ステップと
をさらに備える、請求項8に記載の方法。
【請求項１０】
アップリンクPCRS構成を備えるメッセージを前記基地局から受信するステップであって、前記アップリンクPCRS構成が、PCRSを送信するためのリソースマッピングパターンを備える、ステップと、
前記受信されたアップリンクPCRS構成に少なくとも部分的に基づいて、1つまたは複数のPCRSを前記基地局に送信するステップと
をさらに備える、請求項1に記載の方法。
【請求項１１】
アップリンクPCRS構成を決定するステップであって、前記アップリンクPCRS構成が、PCRSを送信するためのリソースマッピングパターンを備える、ステップと、
前記決定されたアップリンクPCRS構成を備える第2の報告メッセージを前記基地局に送信するステップと、
前記決定されたアップリンクPCRS構成に少なくとも部分的に基づいて、1つまたは複数のPCRSを前記基地局に送信するステップと
をさらに備える、請求項1に記載の方法。
【請求項１２】
前記送信された報告メッセージに応答して、前記基地局からPCRSを受信するステップ
をさらに備える、請求項1に記載の方法。
【請求項１３】
基地局におけるワイヤレス通信のための方法であって、
位相雑音補償基準信号(PCRS)構成を備える報告メッセージをユーザ機器(UE)から受信するステップと、
前記PCRS構成に少なくとも部分的に基づいて、1つまたは複数のPCRSを送信するステップと
を備える方法。
【請求項１４】
アップリンクPCRS構成を決定するステップと、
前記決定されたアップリンクPCRS構成を備えるメッセージを前記UEに送信するステップと、
前記アップリンクPCRS構成に少なくとも部分的に基づいて、前記UEから1つまたは複数のPCRSを受信するステップと
をさらに備える、請求項13に記載の方法。
【請求項１５】
アップリンクPCRS構成を備える第2の報告メッセージを前記UEから受信するステップと、
前記アップリンクPCRS構成に少なくとも部分的に基づいて、前記UEから1つまたは複数のPCRSを受信するステップと
をさらに備える、請求項13に記載の方法。
【請求項１６】
前記PCRS構成が、前記1つまたは複数のPCRSを送信するために使用されるリソースマッピングパターンあるいは前記1つまたは複数のPCRSを送信するために使用されるPCRSポートの数の一方または両方を備える、請求項13に記載の方法。
【請求項１７】
前記PCRS構成が、1つまたは複数のPCRSポートのための多重化方式を備える、請求項13に記載の方法。
【請求項１８】
前記多重化方式が、前記1つまたは複数のPCRSポートの各々に対応するPCRSプリコーダを備える、請求項17に記載の方法。
【請求項１９】
前記PCRSプリコーダが、DMRSまたはUE固有基準信号(UERS)を備えるダウンリンク基準信号に使用される同じプリコーダである、請求項18に記載の方法。
【請求項２０】
前記1つまたは複数のPCRSポートが、それぞれのDMRSポートにマッピングされる、請求項18に記載の方法。
【請求項２１】
前記多重化方式が、1つまたは複数のリソースのセット上に多重化された前記1つまたは複数のPCRSポートを備える、請求項17に記載の方法。
【請求項２２】
ユーザ機器(UE)におけるワイヤレス通信のための装置であって、
6GHzよりも大きいキャリア周波数を使用する通信システムにおいて前記UEが信号を受信する能力を識別するための手段と、
前記識別された能力に少なくとも部分的に基づいて、位相雑音補償基準信号(PCRS)構成を決定するための手段と、
前記決定されたPCRS構成を備える報告メッセージを基地局に送信するための手段と
を備える装置。
【請求項２３】
1つまたは複数のPCRSのためのリソースマッピングパターンを決定するための手段であって、前記PCRS構成が、前記決定されたリソースマッピングパターンを備える、手段
をさらに備える、請求項22に記載の装置。
【請求項２４】
PCRSに使用されるPCRSポートの数を決定するための手段であって、前記PCRS構成が、前記PCRSポートの決定された数を備える、手段
をさらに備える、請求項22に記載の装置。
【請求項２５】
1つまたは複数のPCRSポートに使用される多重化方式を決定するための手段であって、前記PCRS構成が、前記決定された多重化方式を備える、手段
をさらに備える、請求項22に記載の装置。
【請求項２６】
位相雑音推定能力を決定するための手段であって、前記PCRS構成が、前記決定された位相雑音推定能力を備える、手段
をさらに備える、請求項22に記載の装置。
【請求項２７】
アップリンクPCRS構成を備えるメッセージを前記基地局から受信するための手段であって、前記アップリンクPCRS構成が、PCRSを送信するためのリソースマッピングパターンを備える、手段と、
前記受信されたアップリンクPCRS構成に少なくとも部分的に基づいて、1つまたは複数のPCRSを前記基地局に送信するための手段と
をさらに備える、請求項22に記載の装置。
【請求項２８】
アップリンクPCRS構成を決定するための手段であって、前記アップリンクPCRS構成が、PCRSを送信するためのリソースマッピングパターンを備える、手段と、
前記決定されたアップリンクPCRS構成を備える第2の報告メッセージを前記基地局に送信するための手段と、
前記決定されたアップリンクPCRS構成に少なくとも部分的に基づいて、1つまたは複数のPCRSを前記基地局に送信するための手段と
をさらに備える、請求項22に記載の装置。
【請求項２９】
基地局におけるワイヤレス通信のための装置であって、
位相雑音補償基準信号(PCRS)構成を備える報告メッセージをユーザ機器(UE)から受信するための手段と、
前記PCRS構成に少なくとも部分的に基づいて、1つまたは複数のPCRSを送信するための手段と
を備える装置。
【請求項３０】
アップリンクPCRS構成を決定するための手段と、
前記決定されたアップリンクPCRS構成を備えるメッセージを前記UEに送信するための手段と、
前記アップリンクPCRS構成に少なくとも部分的に基づいて、前記UEから1つまたは複数のPCRSを受信するための手段と
をさらに備える、請求項29に記載の装置。
【発明の詳細な説明】
【技術分野】
【０００１】
相互参照
本特許出願は、各々が本出願の譲受人に譲渡された、2017年2月17日に出願された「Phase-Noise Compensation Reference Signal Configuration Reporting And Signaling」と題する、John Wilsonらによる米国特許出願第15/436,531号、および2016年9月13日に出願された「Phase-Noise Compensation Reference Signal Configuration Reporting And Signaling」と題する、John Wilsonらによる米国仮特許出願第62/394,180号の優先権を主張する。
【０００２】
以下は、一般に、ワイヤレス通信に関し、より詳細には、位相雑音補償基準信号(PCRS)構成の報告およびシグナリングに関する。
【背景技術】
【０００３】
ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース(たとえば、時間、周波数、および電力)を共有することによって、複数のユーザとの通信をサポートすることが可能であり得る。そのような多元接続システムの例は、符号分割多元接続(CDMA)システム、時分割多元接続(TDMA)システム、周波数分割多元接続(FDMA)システム、および直交周波数分割多元接続(OFDMA)システムを含む。ワイヤレス多元接続通信システムは、場合によってはユーザ機器(UE)として知られていることがある複数の通信デバイスのための通信を各々が同時にサポートする、いくつかの基地局を含み得る。
【０００４】
場合によっては、ワイヤレス通信システムにおける通信効率は、送信された信号に対する干渉によって直接影響されることがある。その結果、ワイヤレスデバイスは、チャネル推定および位相雑音補正によって干渉をプロアクティブに軽減するために基準信号を使用し得る。しかしながら、UEなどの受信ワイヤレスデバイスの能力によっては、基準信号の頻繁な送信は不要であることがあり、シグナリングオーバーヘッドと、ワイヤレスリソースの非効率的な使用とをもたらすことがある。
【発明の概要】
【課題を解決するための手段】
【０００５】
説明する技法は、PCRS構成の報告およびシグナリングをサポートする、改善された方法、システム、デバイス、または装置に関する。一般に、説明する技法は、UE毎のPCRSシグナリングを可能にするために、基地局にPCRS構成を報告することを実現する。たとえば、UEは、位相雑音によって影響されることがある、6GHzよりも大きいキャリア周波数を使用するワイヤレス通信システムにおいて動作し得る。したがって、UEは、信号を受信する能力に基づいてPCRS構成を決定し得る。PCRS構成は、1つまたは複数のPCRSのためのリソースマッピング、PCRSに使用されるPCRSポートの数、1つまたは複数のPCRSポートのための多重化方式、あるいはUEの位相雑音推定能力を含み得る。次いで、UEは、PCRS構成を含む報告メッセージを基地局に送信し得る。このようにして、基地局は、UEへのPCRS送信のためにPCRS構成を使用し得る。
【０００６】
ワイヤレス通信の方法について説明する。方法は、6GHzよりも大きいキャリア周波数を使用する通信システムにおいてUEが信号を受信する能力を識別するステップと、識別された能力に少なくとも部分的に基づいて、PCRS構成を決定するステップと、決定されたPCRS構成を備える報告メッセージを基地局に送信するステップとを含み得る。
【０００７】
ワイヤレス通信のための装置について説明する。装置は、6GHzよりも大きいキャリア周波数を使用する通信システムにおいてUEが信号を受信する能力を識別するための手段と、識別された能力に少なくとも部分的に基づいて、PCRS構成を決定するための手段と、決定されたPCRS構成を備える報告メッセージを基地局に送信するための手段とを含み得る。
【０００８】
ワイヤレス通信のための別の装置について説明する。装置は、プロセッサと、プロセッサと電子通信しているメモリと、メモリに記憶された命令とを含み得る。命令は、6GHzよりも大きいキャリア周波数を使用する通信システムにおいてUEが信号を受信する能力を識別することと、識別された能力に少なくとも部分的に基づいて、PCRS構成を決定することと、決定されたPCRS構成を備える報告メッセージを基地局に送信することとをプロセッサに行わせるように動作可能であり得る。
【０００９】
ワイヤレス通信のための非一時的コンピュータ可読媒体について説明する。非一時的コンピュータ可読媒体は、6GHzよりも大きいキャリア周波数を使用する通信システムにおいてUEが信号を受信する能力を識別することと、識別された能力に少なくとも部分的に基づいて、PCRS構成を決定することと、決定されたPCRS構成を備える報告メッセージを基地局に送信することとをプロセッサに行わせるように動作可能な命令を含み得る。
【００１０】
上記で説明した方法、装置、および非一時的コンピュータ可読媒体のいくつかの例は、1つまたは複数のPCRSのためのリソースマッピングパターンを決定するためのプロセス、特徴、手段、または命令をさらに含み得、PCRS構成は、決定されたリソースマッピングパターンを備える。上記で説明した方法、装置、および非一時的コンピュータ可読媒体のいくつかの例は、PCRSに使用されるPCRSポートの数を決定するためのプロセス、特徴、手段、または命令をさらに含み得、PCRS構成は、PCRSポートの決定された数を備える。
【００１１】
上記で説明した方法、装置、および非一時的コンピュータ可読媒体のいくつかの例は、1つまたは複数のPCRSポートに使用される多重化方式を決定するためのプロセス、特徴、手段、または命令をさらに含み得、PCRS構成は、決定された多重化方式を備える。上記で説明した方法、装置、および非一時的コンピュータ可読媒体のいくつかの例では、多重化方式は、1つまたは複数のPCRSポートの各々に対応するPCRSプリコーダを備える。上記で説明した方法、装置、および非一時的コンピュータ可読媒体のいくつかの例では、1つまたは複数のPCRSポートは、それぞれの復調基準信号(DMRS)ポートにマッピングされ得る。上記で説明した方法、装置、および非一時的コンピュータ可読媒体のいくつかの例では、多重化方式は、単一のリソース上に多重化された1つまたは複数のPCRSポートを備える。
【００１２】
上記で説明した方法、装置、および非一時的コンピュータ可読媒体のいくつかの例では、多重化方式は、リソースのセットにわたって多重化された単一のPCRSポートを備える。上記で説明した方法、装置、および非一時的コンピュータ可読媒体のいくつかの例は、位相雑音推定能力を決定するためのプロセス、特徴、手段、または命令をさらに含み得、PCRS構成は、決定された位相雑音推定能力を備える。
【００１３】
上記で説明した方法、装置、および非一時的コンピュータ可読媒体のいくつかの例は、DMRSポートの第1のセットに対応する第1のチャネル推定値を識別するためのプロセス、特徴、手段、または命令をさらに含み得る。上記で説明した方法、装置、および非一時的コンピュータ可読媒体のいくつかの例は、DMRSポートの第2のセットに対応する第2のチャネル推定値を識別するためのプロセス、特徴、手段、または命令をさらに含み得る。上記で説明した方法、装置、および非一時的コンピュータ可読媒体のいくつかの例は、第1のチャネル推定値および第2のチャネル推定値に少なくとも部分的に基づいて、重畳チャネルを生成するためのプロセス、特徴、手段、または命令をさらに含み得る。
【００１４】
上記で説明した方法、装置、および非一時的コンピュータ可読媒体のいくつかの例は、生成された重畳チャネルおよび単一のリソース上に多重化されたPCRSに少なくとも部分的に基づいて、位相雑音を推定するためのプロセス、特徴、手段、または命令をさらに含み得、PCRSは、DMRSまたはUE固有基準信号(UERS)を備えるダウンリンク基準信号に使用される同じプリコーダでプリコードされ得る。
【００１５】
上記で説明した方法、装置、および非一時的コンピュータ可読媒体のいくつかの例は、アップリンクPCRS構成を備えるメッセージを基地局から受信するためのプロセス、特徴、手段、または命令をさらに含み得、アップリンクPCRS構成は、PCRSを送信するためのリソースマッピングパターンを備える。上記で説明した方法、装置、および非一時的コンピュータ可読媒体のいくつかの例は、受信されたアップリンクPCRS構成に少なくとも部分的に基づいて、1つまたは複数のPCRSを基地局に送信するためのプロセス、特徴、手段、または命令をさらに含み得る。
【００１６】
上記で説明した方法、装置、および非一時的コンピュータ可読媒体のいくつかの例は、アップリンクPCRS構成を決定するためのプロセス、特徴、手段、または命令をさらに含み得、アップリンクPCRS構成は、PCRSを送信するためのリソースマッピングパターンを備える。上記で説明した方法、装置、および非一時的コンピュータ可読媒体のいくつかの例は、決定されたアップリンクPCRS構成を備える第2の報告メッセージを基地局に送信するためのプロセス、特徴、手段、または命令をさらに含み得る。
【００１７】
上記で説明した方法、装置、および非一時的コンピュータ可読媒体のいくつかの例は、決定されたアップリンクPCRS構成に少なくとも部分的に基づいて、1つまたは複数のPCRSを基地局に送信するためのプロセス、特徴、手段、または命令をさらに含み得る。上記で説明した方法、装置、および非一時的コンピュータ可読媒体のいくつかの例は、送信された報告メッセージに応答して、基地局からPCRSを受信するためのプロセス、特徴、手段、または命令をさらに含み得る。
【００１８】
ワイヤレス通信の方法について説明する。方法は、PCRS構成を備える報告メッセージをUEから受信するステップと、PCRS構成に少なくとも部分的に基づいて、1つまたは複数のPCRSを送信するステップとを含み得る。
【００１９】
ワイヤレス通信のための装置について説明する。装置は、PCRS構成を備える報告メッセージをUEから受信するための手段と、PCRS構成に少なくとも部分的に基づいて、1つまたは複数のPCRSを送信するための手段とを含み得る。
【００２０】
ワイヤレス通信のための別の装置について説明する。装置は、プロセッサと、プロセッサと電子通信しているメモリと、メモリに記憶された命令とを含み得る。命令は、PCRS構成を備える報告メッセージをUEから受信することと、PCRS構成に少なくとも部分的に基づいて、1つまたは複数のPCRSを送信することとをプロセッサに行わせるように動作可能であり得る。
【００２１】
ワイヤレス通信のための非一時的コンピュータ可読媒体について説明する。非一時的コンピュータ可読媒体は、PCRS構成を備える報告メッセージをUEから受信することと、PCRS構成に少なくとも部分的に基づいて、1つまたは複数のPCRSを送信することとをプロセッサに行わせるように動作可能な命令を含み得る。
【００２２】
上記で説明した方法、装置、および非一時的コンピュータ可読媒体のいくつかの例は、アップリンクPCRS構成を決定するためのプロセス、特徴、手段、または命令をさらに含み得る。上記で説明した方法、装置、および非一時的コンピュータ可読媒体のいくつかの例は、決定されたアップリンクPCRS構成を備えるメッセージをUEに送信するためのプロセス、特徴、手段、または命令をさらに含み得る。上記で説明した方法、装置、および非一時的コンピュータ可読媒体のいくつかの例は、アップリンクPCRS構成に少なくとも部分的に基づいて、1つまたは複数のPCRSをUEから受信するためのプロセス、特徴、手段、または命令をさらに含み得る。
【００２３】
上記で説明した方法、装置、および非一時的コンピュータ可読媒体のいくつかの例は、アップリンクPCRS構成を備える第2の報告メッセージをUEから受信するためのプロセス、特徴、手段、または命令をさらに含み得る。
【００２４】
上記で説明した方法、装置、および非一時的コンピュータ可読媒体のいくつかの例は、アップリンクPCRS構成に少なくとも部分的に基づいて、1つまたは複数のPCRSをUEから受信するためのプロセス、特徴、手段、または命令をさらに含み得る。
【００２５】
上記で説明した方法、装置、および非一時的コンピュータ可読媒体のいくつかの例では、PCRS構成は、1つまたは複数のPCRSを送信するために使用されるリソースマッピングパターンを備える。上記で説明した方法、装置、および非一時的コンピュータ可読媒体のいくつかの例では、PCRS構成は、1つまたは複数のPCRSを送信するために使用されるPCRSポートの数を備える。
【００２６】
上記で説明した方法、装置、および非一時的コンピュータ可読媒体のいくつかの例では、PCRS構成は、1つまたは複数のPCRSポートのための多重化方式を備える。上記で説明した方法、装置、および非一時的コンピュータ可読媒体のいくつかの例では、多重化方式は、1つまたは複数のPCRSポートの各々に対応するPCRSプリコーダを備える。
【００２７】
上記で説明した方法、装置、および非一時的コンピュータ可読媒体のいくつかの例では、PCRSプリコーダは、DMRSまたはUERSを備えるダウンリンク基準信号に使用される同じプリコーダであり得る。上記で説明した方法、装置、および非一時的コンピュータ可読媒体のいくつかの例では、1つまたは複数のPCRSポートは、それぞれのDMRSポートにマッピングされ得る。上記で説明した方法、装置、および非一時的コンピュータ可読媒体のいくつかの例では、多重化方式は、単一のリソース上に多重化された1つまたは複数のPCRSポートを備える。
【００２８】
上記で説明した方法、装置、および非一時的コンピュータ可読媒体のいくつかの例では、多重化方式は、2つ以上のUEにわたって多重化された1つまたは複数のPCRSポートを備える。上記で説明した方法、装置、および非一時的コンピュータ可読媒体のいくつかの例では、多重化方式は、リソースのセットにわたって多重化された単一のPCRSポートを備える。
【図面の簡単な説明】
【００２９】
【図１】本開示の態様による、PCRS構成の報告およびシグナリングをサポートするワイヤレス通信システムの一例を示す図である。
【図２】本開示の態様による、PCRS構成の報告およびシグナリングをサポートするワイヤレス通信システムの一例を示す図である。
【図３】本開示の態様による、PCRS構成の報告およびシグナリングをサポートするシステムにおけるプロセスフローの一例を示す図である。
【図４】本開示の態様による、PCRS構成の報告およびシグナリングをサポートするデバイスのブロック図である。
【図５】本開示の態様による、PCRS構成の報告およびシグナリングをサポートするデバイスのブロック図である。
【図６】本開示の態様による、PCRS構成の報告およびシグナリングをサポートするデバイスのブロック図である。
【図７】本開示の態様による、PCRS構成の報告およびシグナリングをサポートするUEを含むシステムのブロック図である。
【図８】本開示の態様による、PCRS構成の報告およびシグナリングをサポートするデバイスのブロック図である。
【図９】本開示の態様による、PCRS構成の報告およびシグナリングをサポートするデバイスのブロック図である。
【図１０】本開示の態様による、PCRS構成の報告およびシグナリングをサポートするデバイスのブロック図である。
【図１１】本開示の態様による、PCRS構成の報告およびシグナリングをサポートする基地局を含むシステムのブロック図である。
【図１２】本開示の態様による、PCRS構成の報告およびシグナリングのための方法を示す図である。
【図１３】本開示の態様による、PCRS構成の報告およびシグナリングのための方法を示す図である。
【図１４】本開示の態様による、PCRS構成の報告およびシグナリングのための方法を示す図である。
【発明を実施するための形態】
【００３０】
いくつかのワイヤレス通信システムでは、位相雑音は通信性能に影響を及ぼすことがある。たとえば、位相雑音レベルは、キャリア周波数が高くなると増加することがあり、したがって、6GHzを上回るキャリア周波数を使用するワイヤレス通信システムは、比較的多くの位相雑音によって影響されることがある。したがって、PCRSなどの基準信号は、基地局によって送信され、UEなどの受信機における位相雑音を推定および補正するために使用され得る。しかしながら、いくつかの例では、PCRSの送信は不要なシグナリングオーバーヘッドをもたらすことがある。
【００３１】
場合によっては、UEは、信号を受信するUEの能力に基づいて、PCRS構成を含む報告メッセージを基地局に送り得る。たとえば、異なるUEは、受信機実装形態およびUE能力に関連付けられた、異なるPCRSオーバーヘッドまたは性能パラメータを有し得る。その結果、UEは、PCRS構成を含む報告メッセージを基地局に送信し得、PCRS構成は、PCRSに使用されるPCRSポートの好ましい数およびワイヤレスリソースを含み得る。UEによって報告されるPCRS構成は、PCRSのUE毎の適合された割振りを使用して性能とオーバーヘッドとの間でトレードオフする能力を可能にし得る。
【００３２】
UEによって報告されるPCRS構成は、PCRSのためのリソースマッピングを含み得る。たとえば、識別されたリソース(またはリソースのセット)へのPCRSのマッピングは、周波数(たとえば、リソース要素(RE)ロケーション)または時間(たとえば、ある直交周波数分割多重(OFDM)シンボル)の関数であり得る。場合によっては、UEは、PCRS構成を使用するPCRSポートの決定された数を示し得る。たとえば、UEは、いくつかのリソース(たとえば、RE)に対する1つまたは複数のPCRSポートの使用に対応するPCRS構成を送信し得る。追加または代替として、PCRSポートのための多重化方式は、PCRS構成に含まれ得る。多重化方式は、PCRSポートを多重化するための決定されたプリコーディングを含み得、複数のPCRSポートは、同じリソース上に多重化され得る。場合によっては、PCRS構成は、複数のUEのための2つ以上のPCRSポートが同じリソース上で重畳されるときに位相雑音を推定するUEの能力の指示を含み得る。
【００３３】
PCRS構成を含む報告メッセージを受信すると、基地局は、構成されたPCRSパターンを、基地局に関連付けられた1つまたは複数のUEにシグナリングし得る。場合によっては、基地局は、物理ダウンリンク制御チャネル(PDCCH)などの制御チャネルを介して、PCRSをUEにシグナリングし得る。追加または代替として、基地局は、PCRS構成をUEに送信するために無線リソース制御(RRC)シグナリングを使用し得る。
【００３４】
場合によっては、UEは、アップリンクPCRS構成(たとえば、アップリンク送信のためにUEによって使用されるPCRS構成)を受信し得る。すなわち、基地局は、あるPCRSリソースマッピングパターンがUEによって使用されることを要求することができ、UEは、受信されたアップリンクPCRS構成を使用して、1つまたは複数のPCRSを基地局に送り得る。場合によっては、UEは、アップリンク送信のための適切なアップリンクPCRS構成を決定し、アップリンクPCRS構成を基地局に報告し得る。
【００３５】
本開示の態様について、最初にワイヤレス通信システムの文脈で説明する。本開示の態様について、PCRS構成の報告およびシグナリングに関する装置の図、システムの図、およびフローチャートによってさらに示し、それらを参照しながら説明する。
【００３６】
図1は、本開示の様々な態様による、ワイヤレス通信システム100の一例を示す。ワイヤレス通信システム100は、基地局105と、UE115と、コアネットワーク130とを含む。ワイヤレス通信システム100は、UE115によるPCRS構成の報告を介して、PCRSのUE毎のシグナリングを可能にし得る。たとえば、1つまたは複数のUE115は、受信機実装形態に基づいてPCRS送信を動的に構成するために、PCRS構成を基地局105に報告し得る。
【００３７】
基地局105は、1つまたは複数の基地局アンテナを介してUE115とワイヤレス通信し得る。各基地局105は、それぞれの地理的カバレージエリア110に通信カバレージを提供し得る。ワイヤレス通信システム100中に示されている通信リンク125は、UE115から基地局105へのUL送信、または基地局105からUE115へのダウンリンク(DL)送信を含み得る。UE115は、ワイヤレス通信システム100全体にわたって分散されてもよく、各UE115は固定またはモバイルであり得る。UE115は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語で呼ばれることもある。UE115はまた、セルラーフォン、携帯情報端末(PDA)、ワイヤレスモデム、ワイヤレス通信デバイス、ハンドヘルドデバイス、タブレットコンピュータ、ラップトップコンピュータ、コードレスフォン、パーソナル電子デバイス、ハンドヘルドデバイス、パーソナルコンピュータ、ワイヤレスローカルループ(WLL)局、モノのインターネット(IoT)デバイス、あらゆるモノのインターネット(IoE)デバイス、マシンタイプ通信(MTC)デバイス、アプライアンス、自動車などであり得る。
【００３８】
基地局105は、コアネットワーク130および互いと通信し得る。たとえば、基地局105は、バックホールリンク132(たとえば、S1など)を通してコアネットワーク130とインターフェースし得る。基地局105は、バックホールリンク134(たとえば、X2など)を介して直接または間接的に(たとえば、コアネットワーク130を通して)のいずれかで互いと通信し得る。基地局105は、UE115との通信のための無線構成およびスケジューリングを実行し得るか、または基地局コントローラ(図示せず)の制御下で動作し得る。いくつかの例では、基地局105は、マクロセル、スモールセル、ホットスポットなどであり得る。基地局105は、eノードB(eNB)105と呼ばれることもある。
【００３９】
PDCCHは、UE115またはUE115のグループのための送信リソース割当ておよび他の制御情報を含む、ダウンリンク制御情報(DCI)として知られているメッセージを搬送する。PDCCHは、論理的に連続する9つのリソース要素グループ(REG)からなり得る少なくとも1つの制御チャネル要素(CCE)の中でDCIを搬送してもよく、各REGは4つのリソース要素を含む。DCIは、DLスケジューリング割当て、アップリンク(UL)リソース許可、送信方式、UL電力制御、ハイブリッド自動再送要求(HARQ)情報、変調およびコーディング方式(MCS)に関する情報、ならびに他の情報を含む。
【００４０】
同様に、多入力多出力(MIMO)を用いるシステムの場合、DCIは追加のシグナリング情報を含まなければならない。DCIサイズおよびフォーマットは、情報の量、ならびに帯域幅、アンテナポートの数、および複信モードなどの要因に依存する。PDCCHは、複数のユーザに関連付けられたDCIメッセージを搬送することができ、各UE115は、それを対象とするDCIメッセージを復号し得る。CCEは、(たとえば、1つ、2つ、4つおよび8つのCCEのグループに)グループ化されてもよく、ユーザ機器が関連するDCIを見つけることができるCCEロケーションのセットが指定され得る。これらのCCEは、探索空間として知られている場合がある。探索空間は、2つの領域、すなわち、共通CCE領域または探索空間と、UE固有(専用)CCE領域または探索空間とに区分され得る。共通CCE領域は、基地局105によってサービスされるすべてのUE115によって監視され、ページング情報、システム情報、ランダムアクセス手順などの情報を含み得る。UE固有探索空間は、ユーザ固有制御情報を含み得る。
【００４１】
ワイヤレス通信システム100は、上位レイヤ(たとえば、RRCおよびパケットデータコンバージェンスプロトコル(PDCP))を下位レイヤ(たとえば、媒体アクセス制御(MAC)レイヤ)に接続する無線リンク制御(RLC)レイヤを含み得る。基地局105またはUE115内のRLCエンティティは、送信パケットが(MACレイヤトランスポートブロックサイズに対応する)適切にサイズ決定されたブロックに編成されることを保証し得る。着信データパケット(すなわち、PDCPまたはRRCサービスデータユニット(SDU))が送信には大きすぎる場合、RLCレイヤは、着信データパケットをいくつかのより小さいRLCプロトコルデータユニット(PDU)にセグメント化し得る。着信パケットが小さすぎる場合、RLCレイヤは、着信データパケットのいくつかを単一のより大きいRLC PDUに連結し得る。各RLC PDUは、データを再アセンブルする方法についての情報を含むヘッダを含み得る。RLCレイヤはまた、パケットが確実に送信されることを保証し得る。
【００４２】
基準信号(RS)は、コヒーレント復調および測定のためのチャネル推定を容易にするために、送信された信号に挿入される、受信デバイスに知られている信号であり得る。ダウンリンクでは、セル固有RSはセル内のすべてのUE115が利用可能であってもよく、UE固有RSは特定のUE115のためのデータに埋め込まれてもよく、マルチメディアブロードキャスト単一周波数ネットワーク(MBSFN)固有RSはMBSFN動作の場合に提供される。これらのRSは、OFDMシンボル内の指定されたREを占有する。
【００４３】
ワイヤレス通信システム100は、6GHzよりも大きい周波数範囲を使用して動作し得る。たとえば、ワイヤレス通信システム100は、ミリ波(mmW)周波数範囲、たとえば、28GHz、40GHz、60GHzなどにおいて動作し得る。これらの周波数におけるワイヤレス通信は、増加した信号減衰(たとえば、経路損失)に関連付けられることがあり、増加した信号減衰は、温度、気圧、回折などの様々な要因によって影響されることがある。その結果、ビームフォーミングなどの信号処理技法は、エネルギーをコヒーレントに結合し、これらの周波数における経路損失を克服するために使用され得る。加えて、位相雑音は、6GHzよりも高い周波数範囲における通信性能に影響を及ぼすことがある。たとえば、位相雑音レベルは、キャリア周波数が高くなると増加することがあり、したがって、6GHzを上回るキャリア周波数を使用するワイヤレス通信システムは、比較的多くの位相雑音によって影響されることがある。したがって、PCRSなどの基準信号は、基地局105によって送信され、UE115における位相雑音を推定および補正するために使用され得るか、またはその逆が行われ得る。
【００４４】
したがって、ワイヤレス通信システム100は、UE毎のPCRSシグナリングを可能にするために、UE115がPCRS構成を基地局105に報告するのをサポートし得る。たとえば、UE115は、位相雑音によって影響されることがある、6GHzよりも大きいキャリア周波数を使用するワイヤレス通信システム100において動作し得る。したがって、UE115は、信号を受信する能力に基づいてPCRS構成を決定し得る。PCRS構成は、1つまたは複数のPCRSのためのリソースマッピング、PCRSに使用されるPCRSポートの数、1つまたは複数のPCRSポートのための多重化方式、あるいはUE115の位相雑音推定能力を含み得る。次いで、UE115は、PCRS構成を含む報告メッセージを基地局に送信し得る。次いで、基地局105は、UE115へのPCRS送信のためにPCRS構成を使用し得る。
【００４５】
図2は、PCRS構成の報告およびシグナリングをサポートするワイヤレス通信システム200の一例を示す。ワイヤレス通信システム200は、図1を参照しながら説明した対応するデバイスの例であり得る、基地局105-aおよびUE115-aを含み得る。ワイヤレス通信システム200は、UE115からのPCRS構成の送信を通して、PCRSのUE毎の適合された割振りを使用することによって性能とオーバーヘッドとの間のトレードオフを可能にするシステムの一例であり得る。
【００４６】
ワイヤレス通信システム200は、6GHzを上回る周波数において動作することがあり、したがって、位相雑音によって影響されることがある。その結果、PCRSなどの基準信号は、基地局105-aによって送信され、UE115-aなどの受信機における位相雑音を推定および補正するために使用され得る。場合によっては、UE115-aは、UE115-aが信号を受信する能力に基づいて、PCRS構成を含む報告メッセージ205を基地局105-aに送り得る。たとえば、異なるUE115は、受信機実装形態およびUE能力に関連付けられた、異なるPCRSオーバーヘッドまたは性能パラメータを有し得る。その結果、UE115-aは、PCRS構成を含む報告メッセージ205を基地局105-aに送信し得、PCRS構成は、PCRSに使用されるPCRSポートの好ましい数および/またはワイヤレスリソースを示す。UE115-aによって報告されるPCRS構成は、PCRSのUE毎の適合された割振りを使用して性能とオーバーヘッドとの間でトレードオフする能力を可能にし得る。
【００４７】
PCRS構成を含む報告メッセージ205は、いくつかの異なる時間スケールにおいて、RRCリソースを介してUE115-aによって送信され得る。たとえば、PCRS構成は、(物理アップリンク共有チャネル(PUSCH)または物理アップリンク制御チャネル(PUCCH)などの)制御チャネルを介して、比較的長い時間スケールで(たとえば、より低い頻度で)送信されてもよく、またはより短い時間スケールで(たとえば、より高い頻度で)送信されてもよい。
【００４８】
場合によっては、UE115-aは、他のUE115よりも高い頻度でまたは他のUE115よりも低い頻度で(たとえば、いくつかのOFDMシンボル毎にではなく、OFDMシンボル毎になど)PCRSを必要とし得る。したがって、UE115によって報告されるPCRS構成は、PCRSのためのリソースマッピングを含み得る。たとえば、識別されたリソース(またはリソースのセット)へのPCRSのマッピングは、周波数(たとえば、REロケーション)または時間(たとえば、あるOFDMシンボル)の関数であり得る。場合によっては、UE115-aは、N個のOFDMシンボル毎のPCRSなどのPCRS周期を示すPCRS構成を報告してもよく、Nは1、2、3などであり得る。場合によっては、UE115-aは、PCRS送信のための考えられるパターンのテーブルを使用して、(周波数および時間の関数であるパターンなどの)パターンを報告してもよい。
【００４９】
UE115-aは、PCRS構成を使用するPCRSポートの決定された数を示すことができ、PCRSポートの数は、UE115-aに割り振られた復調基準信号(DMRS)ポートの数とは異なることがある。一例として、UE115-aにおける受信機実装形態が、位相雑音が複数のアンテナにわたって同じであるようなものである場合、UE115-aは、位相誤差を修復するために1つのPCRSポート(たとえば、DMRSポートにマッピングされたPCRSポート)のみを必要とし得る。別の例では、UE115-aは、位相雑音が複数のアンテナにわたって異なるような受信機実装形態を含むことがあり、マルチレイヤ送信(たとえば、2つ以上の送信レイヤを使用する送信)の場合、UE115-aは、単一のPCRSポートではなく、複数のPCRSポートを示すことができる。そのような場合、複数のPCRSポートの使用は、UE115-aにおけるロバストな位相推定をもたらし得る。たとえば、単一のポートのみが使用されるが、選択されたポートからUEアンテナへのチャネルが比較的弱い場合、その特定のUEアンテナに対する位相雑音推定値が影響を受けることがある。
【００５０】
場合によっては、UE115-aは、PCRS構成において、リソースにわたるPCRSポートのための多重化方式を報告し得る。多重化方式は、PCRSポートを多重化するための決定されたプリコーディングを含み得、複数のPCRSポートは、同じリソース上に多重化され得る。たとえば、UE115-aは、2つのPCRSポートが使用されることを要求してもよく、また、どのように2つのポートが1つまたは複数のリソースにわたって多重化されるかを要求してもよい。そのような場合、2つのPCRSポートは、異なる数のリソースにマッピングされ得る。UE115-aは、シグナリングオーバーヘッドを低減することを選択し、報告メッセージ205を介して送られるPCRS構成において、両方のPCRSポートがあるプリコーディングを用いて同じリソース上で多重化され得ることを示すことができる。代替的に、2つのアンテナについて受信機位相雑音が異なる場合、1つのPCRSポートを使用することは、UEアンテナのうちの一方のためのチャネルを修復するのに十分ではないことがある。しかしながら、両方のPCRSポートが同じリソースにおいて送信しているようにPCRSポートが多重化される場合、各アンテナに対する位相雑音が修復され得る。そのような場合、有効チャネルは、2ポート送信および2つの受信アンテナを有するI2×2であり得る。いくつかの例では、UE115-aは、位相雑音推定のための処理利得を取得するために、複数のリソースにわたって多重化された単一のPCRSポートに対応する多重化方式を示すことができる。追加または代替として、多重化方式は、(たとえば、ただ1つのUE115ではなく)複数のUE115にわたって多重化された1つまたは複数のPCRSポートを含み得る。場合によっては、各PCRSポートは、DMRSポートにマッピングされ得る。
【００５１】
場合によっては、報告メッセージ205は、複数のUE115のための2つ以上のPCRSポートが同じリソース上で重畳されるときにUE115-aが位相雑音を推定する能力の指示を含み得る。たとえば、マルチユーザ(MU)-MIMO送信の場合、個別のDMRSプリコーディングが基地局105-aと通信している各UE115に使用され得る。PCRSはまた、各送信レイヤ用および各UE115用のDMRSまたはUE固有基準信号(UERS)プリコーダなどの、別のダウンリンク基準信号に使用される同じプリコーダでプリコードされ得る。その結果、PCRSポートの重畳がある場合があり、UE115-aは、同じリソース上に多重化された複数のPCRSポートを識別することが可能であり得る。
【００５２】
一例として、UE115-aは、DMRSポートの第1のセット(たとえば、DMRSポート0およびDMRSポート1)を使用し得、DMRSポートの第1のセットを使用して対応するチャネル推定値を取得し得る。UE115-aはまた、別のUE115(図示せず)への送信によって生じる干渉チャネルを推定し得る。たとえば、UE115-aは、干渉チャネルについてのこのチャネル推定値を取得するために、DMRSポートの第2のセット(たとえば、DMRSポート2およびDMRSポート3)を使用することができる。次いで、UE115-aは、2つのチャネル推定値を組み合わせて、重畳チャネルを取得し得る。複数のPCRSポート(たとえば、(DMRSポート0、1、2、および3に対応する)PCRSポート0、1、2、および3)が単一のREにおいて多重化される場合、UE115-aは、PCRS REを使用し、重畳DMRSチャネルと比較して、位相雑音を取得し得る。そのような場合、UE115-aは、異なるUE115のためのDMRSを使用してチャネル推定値を生成し得、また、DMRSシンボル(たとえば、第1のシンボル)における重畳チャネルを合成し、これと(たとえば、第2のシンボルにおける)重畳PCRSとを使用して、位相差を推定し得る。すなわち、UE115-aは、複数のUE115のためのPCRSの間の差を取って、位相雑音を補正するために使用される位相差を取得し得る。
【００５３】
PCRS構成を含む報告メッセージ205を受信すると、基地局105-aは、構成されたPCRS210を、基地局105-aに関連付けられた1つまたは複数のUE115にシグナリングし得る。場合によっては、基地局105-aは、PCRS構成を含む報告メッセージ205を受信し得、報告メッセージ205に基づいてPCRS構成を最適化し得る。追加または代替として、基地局105-aは、MCSに基づいてPCRSを識別および送信し得、MCSは、基地局105-aとUE115-aとの間の送信の情報データレートを表し得る。MCSは、たとえば、基地局105-aとUE115-aとの間の送信の変調次数およびコードレートを含み得る。基地局105-aは、異なるMCSについて異なるようにPCRSをUE115-aに送信し得る。たとえば、MCSは、たとえば、4位相シフトキーイング(QPSK)などの別の変調方式よりも頻繁なPCRSの送信に関連付けられ得る、64直交振幅変調(64QAM)を示し得る。基地局105-aは、PDCCHなどの制御チャネルを介して、PCRS構成をUE115-aにシグナリングし得る。追加または代替として、基地局105-aは、PCRS構成をUE115-aに送信するためにRRCシグナリングを使用し得る。
【００５４】
場合によっては、UE115-aは、アップリンクPCRS構成(たとえば、アップリンク送信のためにUE115によって使用されるPCRS構成)を受信し得る。すなわち、基地局105-aは、あるPCRSリソースマッピングパターンがUE115-aによって使用されることを要求することができ、UE115-aは、受信されたアップリンクPCRS構成を使用して、1つまたは複数のPCRSを基地局105-aに送り得る。一例として、基地局105-aは、基地局105-aにおける受信機が比較的高い位相雑音を受けているとき、RE毎のより多くのPCRSがUE115-aによって送信されることを要求することができる。追加または代替として、UE115-aは、アップリンク送信のための適切なアップリンクPCRS構成を決定し、アップリンクPCRS構成を基地局105-aに報告し得る。たとえば、UE115-aは、高い送信位相雑音によって影響されることがあり、UE115-aは、PCRSがより高い頻度で送信され得ると決定し得る。
【００５５】
図3は、PCRS構成の報告およびシグナリングをサポートするシステムにおけるプロセスフロー300の一例を示す。プロセスフロー300は、図1および図2を参照しながら説明した対応するデバイスの例であり得る、UE115-bおよび基地局105-bを含み得る。
【００５６】
ステップ305において、UE115-bおよび基地局105-bは、通信のために互いを関連付け得る。場合によっては、UE115-bおよび基地局105-bは、mmW周波数を使用する通信システムなどの、6GHzよりも大きいキャリア周波数を使用するワイヤレス通信システムにおいて動作し得る。ステップ310において、UE115-bは、ワイヤレス通信システムにおいて信号を受信する能力を識別し得る。すなわち、異なるUE115は、受信機実装形態に基づいて異なる能力を有することがあり、UE115-bは、ワイヤレス通信システムにおいて信号を受信する能力を識別し得る。
【００５７】
ステップ315において、UE115-bは、1つまたは複数のPCRSのためのリソースマッピングパターン、PCRSに使用されるPCRSポートの数、1つまたは複数のPCRSポートに使用される多重化方式、位相雑音推定能力、あるいはそれらの任意の組合せを決定し得る。場合によっては、多重化方式は、1つまたは複数のPCRSポートの各々に対応するPCRSプリコーダを含み、1つまたは複数のPCRSポートは、それぞれのDMRSポートにマッピングされ得る。いくつかの例では、多重化方式は、単一のリソース上に多重化された1つまたは複数のPCRSポートを含む。追加または代替として、多重化方式は、リソースのセットにわたって多重化された単一のPCRSポートを含む。場合によっては、多重化方式は、単一のUE115とは対照的に、2つ以上のUE115にわたって多重化された1つまたは複数のPCRSポートを含む。
【００５８】
ステップ320において、UE115-bは、能力に基づいてPCRS構成を決定し得る。たとえば、UE115-bは、ある受信機実装形態を有してもよく、受信機実装形態に基づいてPCRS構成を決定し得る。PCRS構成は、決定されたリソースマッピングパターン、PCRSポートの決定された数、決定された多重化方式、決定された位相雑音推定能力、またはそれらの任意の組合せを含み得る。
【００５９】
いくつかの例では、UE115-bは、DMRSポートの第1のセットに対応する第1のチャネル推定値を識別し、DMRSポートの第2のセットに対応する第2のチャネル推定値を識別し得る。次いで、UE115-bは、第1のチャネル推定値および第2のチャネル推定値に基づいて重畳チャネルを生成し、生成された重畳チャネルおよび単一のリソース上に多重化されたPCRSに基づいて位相雑音を推定し得る。場合によっては、PCRSは、DMRSまたはUERSなどのダウンリンク基準信号に使用される同じプリコーダでプリコードされ得る。
【００６０】
ステップ325において、UE115-bは、PCRS構成を含む報告メッセージを基地局105-bに送信し得る。報告メッセージに応答して、ステップ330において、UE115-bは、基地局105-bからPCRSを受信し得る。場合によっては、UE115-bは、MCSに基づいて基地局105-bから1つまたは複数のPCRSを受信し得る。
【００６１】
図4は、本開示の様々な態様による、PCRS構成の報告およびシグナリングをサポートするワイヤレスデバイス405のブロック図400を示す。ワイヤレスデバイス405は、図1を参照しながら説明したようなUE115の態様の一例であり得る。ワイヤレスデバイス405は、受信機410、UE PCRSマネージャ415、および送信機420を含み得る。ワイヤレスデバイス405はまた、プロセッサを含み得る。これらの構成要素の各々は、(たとえば、1つまたは複数のバスを介して)互いと通信していてもよい。
【００６２】
受信機410は、パケット、ユーザデータ、または様々な情報チャネル(たとえば、制御チャネル、データチャネルなど)に関連付けられた制御情報、ならびにPCRS構成の報告およびシグナリングに関連する情報などの情報を受信し得る。情報は、デバイスの他の構成要素に渡され得る。受信機410は、図7を参照しながら説明するトランシーバ735の態様の一例であり得る。場合によっては、受信機410は、送信された報告メッセージに応答して、基地局105からPCRSを受信し得る。追加または代替として、受信機410は、MCSに基づいて基地局105から1つまたは複数のPCRSを受信し得る。
【００６３】
UE PCRSマネージャ415は、図7を参照しながら説明するUE PCRSマネージャ715の態様の一例であり得る。UE PCRSマネージャ415は、6GHzよりも大きいキャリア周波数を使用する通信システムにおいてUE115が信号を受信する能力を識別し、識別された能力に少なくとも部分的に基づいて、PCRS構成を決定し、決定されたPCRS構成を含む報告メッセージを基地局105に送信し得る。
【００６４】
送信機420は、デバイスの他の構成要素によって生成された信号を送信し得る。いくつかの例では、送信機420は、トランシーバモジュールにおいて受信機410とコロケートされ得る。たとえば、送信機420は、図7を参照しながら説明するトランシーバ735の態様の一例であり得る。送信機420は、単一のアンテナを含み得るか、またはアンテナのセットを含み得る。
【００６５】
図5は、本開示の様々な態様による、PCRS構成の報告およびシグナリングをサポートするワイヤレスデバイス505のブロック図500を示す。ワイヤレスデバイス505は、図1および図4を参照しながら説明したようなワイヤレスデバイス405またはUE115の態様の一例であり得る。ワイヤレスデバイス505は、受信機510、UE PCRSマネージャ515、および送信機520を含み得る。ワイヤレスデバイス505はまた、プロセッサを含み得る。これらの構成要素の各々は、(たとえば、1つまたは複数のバスを介して)互いに通信していてもよい。
【００６６】
受信機510は、パケット、ユーザデータ、または様々な情報チャネル(たとえば、制御チャネル、データチャネルなど)に関連付けられた制御情報、ならびにPCRS構成の報告およびシグナリングに関連する情報などの情報を受信し得る。情報は、デバイスの他の構成要素に渡され得る。受信機510は、図7を参照しながら説明するトランシーバ735の態様の一例であり得る。
【００６７】
UE PCRSマネージャ515は、図7を参照しながら説明するUE PCRSマネージャ715の態様の一例であり得る。UE PCRSマネージャ515はまた、能力マネージャ525、PCRS構成マネージャ530、および報告メッセージ構成要素535を含み得る。能力マネージャ525は、6GHzよりも大きいキャリア周波数を使用する通信システムにおいてUE115が信号を受信する能力を識別し得る。
【００６８】
PCRS構成マネージャ530は、識別された能力に少なくとも部分的に基づいて、PCRS構成を決定し、1つまたは複数のPCRSのためのリソースマッピングパターンを決定し得、PCRS構成は、決定されたリソースマッピングパターンを含む。いくつかの例では、PCRS構成マネージャ530は、PCRSに使用されるPCRSポートの数を決定することであって、PCRS構成が、PCRSポートの決定された数を含む、決定することと、1つまたは複数のPCRSポートに使用される多重化方式を決定することであって、PCRS構成が、決定された多重化方式を含む、決定することとを行い得る。追加または代替として、PCRS構成マネージャ530は、位相雑音推定能力を決定し得、PCRS構成は、決定された位相雑音推定能力を含む。
【００６９】
場合によっては、多重化方式は、1つまたは複数のPCRSポートの各々に対応するPCRSプリコーダを含む。場合によっては、1つまたは複数のPCRSポートは、それぞれのDMRSポートにマッピングされる。場合によっては、多重化方式は、単一のリソース上に多重化された1つまたは複数のPCRSポートを含む。場合によっては、多重化方式は、リソースのセットにわたって多重化された単一のPCRSポートを含む。
【００７０】
場合によっては、PCRS構成マネージャ530は、アップリンクPCRS構成を含むメッセージを基地局105から受信し得、アップリンクPCRS構成は、PCRSを送信するためのリソースマッピングパターンを含む。いくつかの例では、PCRS構成マネージャ530は、受信されたアップリンクPCRS構成に基づいて、1つまたは複数のPCRSを基地局105に送信し得る。追加または代替として、PCRS構成マネージャ530は、アップリンクPCRS構成を決定し得、アップリンクPCRS構成は、PCRSを送信するためのリソースマッピングパターンを含む。いくつかの例では、PCRS構成マネージャ530は、決定されたアップリンクPCRS構成を含む第2の報告メッセージを基地局105に送信し、決定されたアップリンクPCRS構成に基づいて、1つまたは複数のPCRSを基地局105に送信し得る。報告メッセージ構成要素535は、決定されたPCRS構成を含む報告メッセージを基地局105に送信し得る。
【００７１】
送信機520は、デバイスの他の構成要素によって生成された信号を送信し得る。いくつかの例では、送信機520は、トランシーバモジュールにおいて受信機510とコロケートされ得る。たとえば、送信機520は、図7を参照しながら説明するトランシーバ735の態様の一例であり得る。送信機520は、単一のアンテナを含み得るか、またはアンテナのセットを含み得る。
【００７２】
図6は、本開示の様々な態様による、PCRS構成の報告およびシグナリングをサポートするUE PCRSマネージャ615のブロック図600を示す。UE PCRSマネージャ615は、図4、図5、および図7を参照しながら説明するUE PCRSマネージャ415、UE PCRSマネージャ515、またはUE PCRSマネージャ715の態様の一例であり得る。UE PCRSマネージャ615は、能力マネージャ620、PCRS構成マネージャ625、報告メッセージ構成要素630、チャネル推定値構成要素635、および位相雑音構成要素640を含み得る。これらの構成要素の各々は、(たとえば、1つまたは複数のバスを介して)直接または間接的に互いと通信し得る。
【００７３】
能力マネージャ620は、6GHzよりも大きいキャリア周波数を使用する通信システムにおいてUE115が信号を受信する能力を識別し得る。PCRS構成マネージャ625は、識別された能力に少なくとも部分的に基づいて、PCRS構成を決定し得る。場合によっては、PCRS構成マネージャ625は、1つまたは複数のPCRSのためのリソースマッピングパターンを決定し得、PCRS構成は、決定されたリソースマッピングパターンを含む。場合によっては、PCRS構成マネージャ625は、PCRSに使用されるPCRSポートの数を決定し得、PCRS構成は、PCRSポートの決定された数を含む。追加または代替として、PCRS構成マネージャ625は、1つまたは複数のPCRSポートに使用される多重化方式を決定することであって、PCRS構成が、決定された多重化方式を含む、決定することと、位相雑音推定能力を決定することであって、PCRS構成が、決定された位相雑音推定能力を含む、決定することとを行い得る。
【００７４】
場合によっては、多重化方式は、1つまたは複数のPCRSポートの各々に対応するPCRSプリコーダを含む。場合によっては、1つまたは複数のPCRSポートは、それぞれのDMRSポートにマッピングされる。場合によっては、多重化方式は、単一のリソース上に多重化された1つまたは複数のPCRSポートを含む。場合によっては、多重化方式は、リソースのセットにわたって多重化された単一のPCRSポートを含む。
【００７５】
場合によっては、PCRS構成マネージャ625は、アップリンクPCRS構成を含むメッセージを基地局105から受信し得、アップリンクPCRS構成は、PCRSを送信するためのリソースマッピングパターンを含む。場合によっては、PCRS構成マネージャ625は、受信されたアップリンクPCRS構成に基づいて、1つまたは複数のPCRSを基地局105に送信し得る。追加または代替として、PCRS構成マネージャ625は、アップリンクPCRS構成を決定し得、アップリンクPCRS構成は、PCRSを送信するためのリソースマッピングパターンを含む。PCRS構成マネージャ625はまた、決定されたアップリンクPCRS構成を含む第2の報告メッセージを基地局105に送信し、決定されたアップリンクPCRS構成に基づいて、1つまたは複数のPCRSを基地局105に送信し得る。
【００７６】
報告メッセージ構成要素630は、決定されたPCRS構成を含む報告メッセージを基地局に送信し得る。チャネル推定値構成要素635は、DMRSポートの第1のセットに対応する第1のチャネル推定値を識別し、DMRSポートの第2のセットに対応する第2のチャネル推定値を識別し、第1のチャネル推定値および第2のチャネル推定値に基づいて、重畳チャネルを生成し得る。位相雑音構成要素640は、生成された重畳チャネルおよび単一のリソース上に多重化されたPCRに基づいて、位相雑音を推定し得、PCRSは、DMRSまたはUERSを含むダウンリンク基準信号に使用される同じプリコーダでプリコードされる。
【００７７】
図7は、本開示の様々な態様による、PCRS構成の報告およびシグナリングをサポートするデバイス705を含むシステム700の図を示す。デバイス705は、たとえば、図1、図4および図5を参照しながら上記で説明したようなワイヤレスデバイス405、ワイヤレスデバイス505、またはUE115の構成要素の一例であり得るか、またはそれらの構成要素を含み得る。デバイス705は、通信を送信および受信するための構成要素を含む、双方向音声およびデータ通信のための構成要素を含み得、これらの構成要素は、UE PCRSマネージャ715、プロセッサ720、メモリ725、ソフトウェア730、トランシーバ735、アンテナ740、および入力/出力(I/O)コントローラ745を含む。これらの構成要素は、1つまたは複数のバス(たとえば、バス710)を介して電子通信していてもよい。デバイス705は、1つまたは複数の基地局105とワイヤレス通信し得る。
【００７８】
プロセッサ720は、インテリジェントハードウェアデバイス(たとえば、汎用プロセッサ、デジタル信号プロセッサ(DSP)、中央処理ユニット(CPU)、マイクロコントローラ、特定用途向け集積回路(ASIC)、フィールドプログラマブルゲートアレイ(FPGA)、プログラマブル論理デバイス、個別ゲートもしくはトランジスタ論理構成要素、個別ハードウェア構成要素、またはそれらの任意の組合せ)を含み得る。場合によっては、プロセッサ720は、メモリコントローラを使用してメモリアレイを動作させるように構成され得る。他の場合には、メモリコントローラは、プロセッサ720に統合され得る。プロセッサ720は、様々な機能(たとえば、PCRS構成の報告およびシグナリングをサポートする機能またはタスク)を実行するために、メモリに記憶されたコンピュータ可読命令を実行するように構成され得る。
【００７９】
メモリ725は、ランダムアクセスメモリ(RAM)および読取り専用メモリ(ROM)を含み得る。メモリ725は、実行されると、本明細書で説明する様々な機能をプロセッサに実行させる命令を含む、コンピュータ可読、コンピュータ実行可能ソフトウェア730を記憶し得る。場合によっては、メモリ725は、とりわけ、周辺構成要素またはデバイスとの相互作用などの基本的なハードウェア動作および/またはソフトウェア動作を制御し得る基本入出力システム(BIOS)を含み得る。
【００８０】
ソフトウェア730は、PCRS構成の報告およびシグナリングをサポートするためのコードを含め、本開示の態様を実装するためのコードを含み得る。ソフトウェア730は、システムメモリまたは他のメモリなどの非一時的コンピュータ可読媒体に記憶され得る。場合によっては、ソフトウェア730は、プロセッサによって直接実行可能ではないことがあるが、(たとえば、コンパイルされ、実行されると)本明細書で説明する機能をコンピュータに実行させ得る。
【００８１】
トランシーバ735は、上記で説明したように、1つまたは複数のアンテナ、ワイヤードリンクまたはワイヤレスリンクを介して双方向に通信し得る。たとえば、トランシーバ735は、ワイヤレストランシーバを表してもよく、別のワイヤレストランシーバと双方向に通信し得る。トランシーバ735はまた、パケットを変調し、変調されたパケットを送信のためにアンテナに与え、アンテナから受信されたパケットを復調するためのモデムを含み得る。場合によっては、ワイヤレスデバイスは、単一のアンテナ740を含み得る。しかしながら、場合によっては、デバイスは、複数のワイヤレス送信を同時に送信または受信することが可能であり得る2つ以上のアンテナ740を有し得る。
【００８２】
I/Oコントローラ745は、デバイス705のための入力信号および出力信号を管理し得る。I/Oコントローラ745はまた、デバイス705に統合されていない周辺機器を管理し得る。場合によっては、I/Oコントローラ745は、外部周辺機器への物理接続またはポートを表し得る。場合によっては、I/Oコントローラ745は、iOS(登録商標)、ANDROID(登録商標)、MS-DOS(登録商標)、MS-WINDOWS(登録商標)、OS/2(登録商標)、UNIX(登録商標)、LINUX(登録商標)、または別の知られているオペレーティングシステムなどのオペレーティングシステムを利用し得る。
【００８３】
図8は、本開示の様々な態様による、PCRS構成の報告およびシグナリングをサポートするワイヤレスデバイス805のブロック図800を示す。ワイヤレスデバイス805は、図1を参照しながら説明したような基地局105の態様の一例であり得る。ワイヤレスデバイス805は、受信機810、基地局PCRSマネージャ815、および送信機820を含み得る。ワイヤレスデバイス805はまた、プロセッサを含み得る。これらの構成要素の各々は、(たとえば、1つまたは複数のバスを介して)互いと通信していてもよい。
【００８４】
受信機810は、パケット、ユーザデータ、または様々な情報チャネル(たとえば、制御チャネル、データチャネルなど)に関連付けられた制御情報、ならびにPCRS構成の報告およびシグナリングに関連する情報などの情報を受信し得る。情報は、デバイスの他の構成要素に渡され得る。受信機810は、図11を参照しながら説明するトランシーバ1135の態様の一例であり得る。
【００８５】
基地局PCRSマネージャ815は、図11を参照しながら説明する基地局PCRSマネージャ1115の態様の一例であり得る。基地局PCRSマネージャ815は、PCRS構成を含む報告メッセージをUE115から受信し、PCRS構成に基づいて、1つまたは複数のPCRSを送信し得る。
【００８６】
送信機820は、デバイスの他の構成要素によって生成された信号を送信し得る。いくつかの例では、送信機820は、トランシーバモジュールにおいて受信機810とコロケートされ得る。たとえば、送信機820は、図11を参照しながら説明するトランシーバ1135の態様の一例であり得る。送信機820は、単一のアンテナを含み得るか、またはアンテナのセットを含み得る。
【００８７】
図9は、本開示の様々な態様による、PCRS構成の報告およびシグナリングをサポートするワイヤレスデバイス905のブロック図900を示す。ワイヤレスデバイス905は、図1および図8を参照しながら説明したようなワイヤレスデバイス805または基地局105の態様の一例であり得る。ワイヤレスデバイス905は、受信機910、基地局PCRSマネージャ915、および送信機920を含み得る。ワイヤレスデバイス905はまた、プロセッサを含み得る。これらの構成要素の各々は、(たとえば、1つまたは複数のバスを介して)互いと通信していてもよい。
【００８８】
受信機910は、パケット、ユーザデータ、または様々な情報チャネル(たとえば、制御チャネル、データチャネルなど)に関連付けられた制御情報、ならびにPCRS構成の報告およびシグナリングに関連する情報などの情報を受信し得る。情報は、デバイスの他の構成要素に渡され得る。受信機910は、図11を参照しながら説明するトランシーバ1135の態様の一例であり得る。
【００８９】
基地局PCRSマネージャ915は、図11を参照しながら説明する基地局PCRSマネージャ1115の態様の一例であり得る。基地局PCRSマネージャ915はまた、報告メッセージマネージャ925およびPCRS構成要素930を含み得る。報告メッセージマネージャ925は、PCRS構成を含む報告メッセージをUE115から受信し得る。
【００９０】
PCRS構成要素930は、PCRS構成に基づいて、1つまたは複数のPCRSを送信し得る。追加または代替として、PCRS構成要素930は、MCSを識別し、識別されたMCSに基づいて、1つまたは複数のPCRSを送信し得る。場合によっては、PCRS構成は、1つまたは複数のPCRSを送信するために使用されるリソースマッピングパターンを含む。場合によっては、PCRS構成は、1つまたは複数のPCRSを送信するために使用されるPCRSポートの数を含む。場合によっては、PCRS構成は、1つまたは複数のPCRSポートのための多重化方式を含む。場合によっては、多重化方式は、1つまたは複数のPCRSポートの各々に対応するPCRSプリコーダを含む。場合によっては、PCRSプリコーダは、DMRSまたはUERSなどのダウンリンク基準信号に使用される同じプリコーダである。場合によっては、1つまたは複数のPCRSポートは、それぞれのDMRSポートにマッピングされる。場合によっては、多重化方式は、単一のリソース上に多重化された1つまたは複数のPCRSポートを含む。場合によっては、多重化方式は、2つ以上のUE115にわたって多重化された1つまたは複数のPCRSポートを含む。場合によっては、多重化方式は、リソースのセットにわたって多重化された単一のPCRSポートを含む。
【００９１】
PCRS構成要素930は、アップリンクPCRS構成を決定し、決定されたアップリンクPCRS構成を含むメッセージをUE115に送信し、アップリンクPCRS構成に基づいて、1つまたは複数のPCRSをUE115から受信し得る。場合によっては、PCRS構成要素930は、アップリンクPCRS構成を含む第2の報告メッセージをUE115から受信し得る。追加または代替として、PCRS構成要素930は、アップリンクPCRS構成に基づいて、1つまたは複数のPCRSをUE115から受信し得る。
【００９２】
送信機920は、デバイスの他の構成要素によって生成された信号を送信し得る。いくつかの例では、送信機920は、トランシーバモジュールにおいて受信機910とコロケートされ得る。たとえば、送信機920は、図11を参照しながら説明するトランシーバ1135の態様の一例であり得る。送信機920は、単一のアンテナを含み得るか、またはアンテナのセットを含み得る。
【００９３】
図10は、本開示の様々な態様による、PCRS構成の報告およびシグナリングをサポートする基地局PCRSマネージャ1015のブロック図1000を示す。基地局PCRSマネージャ1015は、図8、図9、および図11を参照しながら説明する基地局PCRSマネージャ1115の態様の一例であり得る。基地局PCRSマネージャ1015は、報告メッセージマネージャ1020およびPCRS構成要素1025を含み得る。これらの構成要素の各々は、(たとえば、1つまたは複数のバスを介して)直接または間接的に互いと通信し得る。
【００９４】
報告メッセージマネージャ1020は、PCRS構成を含む報告メッセージをUE115から受信し得る。PCRS構成要素1025は、PCRS構成に基づいて、1つまたは複数のPCRSを送信し得る。場合によっては、PCRS構成は、1つまたは複数のPCRSを送信するために使用されるリソースマッピングパターンを含む。場合によっては、PCRS構成は、1つまたは複数のPCRSを送信するために使用されるPCRSポートの数を含む。場合によっては、PCRS構成は、1つまたは複数のPCRSポートのための多重化方式を含む。
【００９５】
PCRS構成要素1025は、アップリンクPCRS構成を決定し、決定されたアップリンクPCRS構成を含むメッセージをUE115に送信し、アップリンクPCRS構成に基づいて、1つまたは複数のPCRSをUE115から受信し得る。場合によっては、PCRS構成要素1025は、アップリンクPCRS構成を含む第2の報告メッセージをUE115から受信し、アップリンクPCRS構成に基づいて、1つまたは複数のPCRSをUE115から受信し得る。
【００９６】
多重化方式は、1つまたは複数のPCRSポートの各々に対応するPCRSプリコーダを含み得る。場合によっては、PCRSプリコーダは、DMRSまたはUERSなどのダウンリンク基準信号に使用される同じプリコーダである。場合によっては、1つまたは複数のPCRSポートは、それぞれのDMRSポートにマッピングされる。場合によっては、多重化方式は、単一のリソース上に多重化された1つまたは複数のPCRSポートを含む。場合によっては、多重化方式は、2つ以上のUE115にわたって多重化された1つまたは複数のPCRSポートを含む。場合によっては、多重化方式は、リソースのセットにわたって多重化された単一のPCRSポートを含む。
【００９７】
図11は、本開示の様々な態様による、PCRS構成の報告およびシグナリングをサポートするデバイス1105を含むシステム1100の図を示す。デバイス1105は、たとえば、図1を参照しながら上記で説明したような基地局105の構成要素の一例であり得るか、またはそれらの構成要素を含み得る。デバイス1105は、通信を送信および受信するための構成要素を含む、双方向音声およびデータ通信のための構成要素を含み得、これらの構成要素は、基地局PCRSマネージャ1115、プロセッサ1120、メモリ1125、ソフトウェア1130、トランシーバ1135、アンテナ1140、ネットワーク通信マネージャ1145、および基地局通信マネージャ1150を含む。これらの構成要素は、1つまたは複数のバス(たとえば、バス1110)を介して電子通信していてもよい。デバイス1105は、1つまたは複数のUE115とワイヤレス通信し得る。
【００９８】
プロセッサ1120は、インテリジェントハードウェアデバイス(たとえば、汎用プロセッサ、DSP、CPU、マイクロコントローラ、ASIC、FPGA、プログラマブル論理デバイス、個別ゲートもしくはトランジスタ論理構成要素、個別ハードウェア構成要素、またはそれらの任意の組合せ)を含み得る。場合によっては、プロセッサ1120は、メモリコントローラを使用してメモリアレイを動作させるように構成され得る。他の場合には、メモリコントローラは、プロセッサ1120に統合され得る。プロセッサ1120は、様々な機能(たとえば、PCRS構成の報告およびシグナリングをサポートする機能またはタスク)を実行するために、メモリに記憶されたコンピュータ可読命令を実行するように構成され得る。
【００９９】
メモリ1125は、RAMおよびROMを含み得る。メモリ1125は、実行されると、本明細書で説明する様々な機能をプロセッサに実行させる命令を含む、コンピュータ可読、コンピュータ実行可能ソフトウェア1130を記憶し得る。場合によっては、メモリ1125は、とりわけ、周辺構成要素またはデバイスとの相互作用などの基本的なハードウェア動作および/またはソフトウェア動作を制御し得るBIOSを含み得る。
【０１００】
ソフトウェア1130は、PCRS構成の報告およびシグナリングをサポートするためのコードを含め、本開示の態様を実装するためのコードを含み得る。ソフトウェア1130は、システムメモリまたは他のメモリなどの非一時的コンピュータ可読媒体に記憶され得る。場合によっては、ソフトウェア1130は、プロセッサによって直接実行可能ではないことがあるが、(たとえば、コンパイルされ、実行されると)本明細書で説明する機能をコンピュータに実行させ得る。
【０１０１】
トランシーバ1135は、上記で説明したように、1つまたは複数のアンテナ、ワイヤードリンクまたはワイヤレスリンクを介して双方向に通信し得る。たとえば、トランシーバ1135は、ワイヤレストランシーバを表してもよく、別のワイヤレストランシーバと双方向に通信し得る。トランシーバ1135はまた、パケットを変調し、変調されたパケットを送信のためにアンテナに与え、アンテナから受信されたパケットを復調するためのモデムを含み得る。場合によっては、ワイヤレスデバイスは、単一のアンテナ1140を含み得る。しかしながら、場合によっては、デバイスは、複数のワイヤレス送信を同時に送信または受信することが可能であり得る2つ以上のアンテナ1140を有し得る。ネットワーク通信マネージャ1145は、(たとえば、1つまたは複数のワイヤードバックホールリンクを介して)コアネットワークとの通信を管理し得る。たとえば、ネットワーク通信マネージャ1145は、1つまたは複数のUE115などのクライアントデバイスのためのデータ通信の転送を管理し得る。
【０１０２】
基地局通信マネージャ1150は、他の基地局105との通信を管理し得、他の基地局105と協調してUE115との通信を制御するためのコントローラまたはスケジューラを含み得る。たとえば、基地局通信マネージャ1150は、ビームフォーミングまたはジョイント送信などの様々な干渉軽減技法のために、UE115への送信のためのスケジューリングを協調させ得る。いくつかの例では、基地局通信マネージャ1150は、基地局105間の通信を行うために、LTE/LTE-Aワイヤレス通信ネットワーク技術内のX2インターフェースを提供し得る。
【０１０３】
図12は、本開示の様々な態様による、PCRS構成の報告およびシグナリングのための方法1200を示すフローチャートを示す。方法1200の動作は、本明細書で説明するようなUE115またはその構成要素によって実装され得る。たとえば、方法1200の動作は、図4〜図7を参照しながら説明したように、UE PCRSマネージャによって実行され得る。いくつかの例では、UE115は、以下で説明する機能を実行するようにデバイスの機能要素を制御するためのコードのセットを実行し得る。追加または代替として、UE115は、専用ハードウェアを使用して、以下で説明する機能の態様を実行し得る。
【０１０４】
ブロック1205において、UE115は、6GHzよりも大きいキャリア周波数を使用する通信システムにおいて信号を受信する能力を識別し得る。たとえば、通信システムは、mmW周波数を使用し得る。ブロック1205の動作は、図1〜図3を参照しながら説明した方法に従って実行され得る。いくつかの例では、ブロック1205の動作の態様は、図4〜図7を参照しながら説明したように、能力マネージャによって実行され得る。
【０１０５】
ブロック1210において、UE115は、識別された能力に少なくとも部分的に基づいて、PCRS構成を決定し得る。ブロック1210の動作は、図1〜図3を参照しながら説明した方法に従って実行され得る。いくつかの例では、ブロック1210の動作の態様は、図4〜図7を参照しながら説明したように、PCRS構成マネージャによって実行され得る。
【０１０６】
ブロック1215において、UE115は、決定されたPCRS構成を含む報告メッセージを基地局105に送信し得る。ブロック1215の動作は、図1〜図3を参照しながら説明した方法に従って実行され得る。いくつかの例では、ブロック1215の動作の態様は、図4〜図7を参照しながら説明したように、報告メッセージ構成要素によって実行され得る。
【０１０７】
図13は、本開示の様々な態様による、PCRS構成の報告およびシグナリングのための方法1300を示すフローチャートを示す。方法1300の動作は、本明細書で説明するようなUE115またはその構成要素によって実装され得る。たとえば、方法1300の動作は、図4〜図7を参照しながら説明したように、UE PCRSマネージャによって実行され得る。いくつかの例では、UE115は、以下で説明する機能を実行するようにデバイスの機能要素を制御するためのコードのセットを実行し得る。追加または代替として、UE115は、専用ハードウェアを使用して、以下で説明する機能の態様を実行し得る。
【０１０８】
ブロック1305において、UE115は、6GHzよりも大きいキャリア周波数を使用する通信システムにおいて信号を受信する能力を識別し得る。ブロック1305の動作は、図1〜図3を参照しながら説明した方法に従って実行され得る。いくつかの例では、ブロック1305の動作の態様は、図4〜図7を参照しながら説明したように、能力マネージャによって実行され得る。
【０１０９】
ブロック1310において、UE115は任意選択で、1つまたは複数のPCRSのためのリソースマッピングパターンを決定し得る。ブロック1310の動作は、図1〜図3を参照しながら説明した方法に従って実行され得る。いくつかの例では、ブロック1310の動作の態様は、図4〜図7を参照しながら説明したように、PCRS構成マネージャによって実行され得る。
【０１１０】
ブロック1315において、UE115は任意選択で、PCRSに使用されるPCRSポートの数を決定し得る。ブロック1315の動作は、図1〜図3を参照しながら説明した方法に従って実行され得る。いくつかの例では、ブロック1315の動作の態様は、図4〜図7を参照しながら説明したように、PCRS構成マネージャによって実行され得る。
【０１１１】
ブロック1320において、UE115は任意選択で、1つまたは複数のPCRSポートに使用される多重化方式を決定し得る。ブロック1320の動作は、図1〜図3を参照しながら説明した方法に従って実行され得る。いくつかの例では、ブロック1320の動作の態様は、図4〜図7を参照しながら説明したように、PCRS構成マネージャによって実行され得る。
【０１１２】
ブロック1325において、UE115は任意選択で、位相雑音推定能力を決定し得る。ブロック1325の動作は、図1〜図3を参照しながら説明した方法に従って実行され得る。いくつかの例では、ブロック1325の動作の態様は、図4〜図7を参照しながら説明したように、PCRS構成マネージャによって実行され得る。
【０１１３】
ブロック1330において、UE115は、識別された能力に基づいて、PCRS構成を決定し得る。PCRS構成は、リソースマッピングパターン、PCRSポートの数、多重化方式、または雑音推定能力のうちの1つまたは複数を含み得る。ブロック1330の動作は、図1〜図3を参照しながら説明した方法に従って実行され得る。いくつかの例では、ブロック1330の動作の態様は、図4〜図7を参照しながら説明したように、PCRS構成マネージャによって実行され得る。
【０１１４】
ブロック1335において、UE115は、決定されたPCRS構成を含む報告メッセージを基地局に送信し得る。ブロック1335の動作は、図1〜図3を参照しながら説明した方法に従って実行され得る。いくつかの例では、ブロック1335の動作の態様は、図4〜図7を参照しながら説明したように、報告メッセージ構成要素によって実行され得る。
【０１１５】
図14は、本開示の様々な態様による、PCRS構成の報告およびシグナリングのための方法1400を示すフローチャートを示す。方法1400の動作は、本明細書で説明するような基地局105またはその構成要素によって実装され得る。たとえば、方法1400の動作は、図8〜図11を参照しながら説明したように、基地局PCRSマネージャによって実行され得る。いくつかの例では、基地局105は、以下で説明する機能を実行するようにデバイスの機能要素を制御するためのコードのセットを実行し得る。追加または代替として、基地局105は、専用ハードウェアを使用して、以下で説明する機能の態様を実行し得る。
【０１１６】
ブロック1405において、基地局105は、PCRS構成を含む報告メッセージをUE115から受信し得る。ブロック1405の動作は、図1〜図3を参照しながら説明した方法に従って実行され得る。いくつかの例では、ブロック1405の動作の態様は、図8〜図11を参照しながら説明したように、報告メッセージマネージャによって実行され得る。
【０１１７】
ブロック1410において、基地局105は、PCRS構成に基づいて、1つまたは複数のPCRSを送信し得る。ブロック1410の動作は、図1〜図3を参照しながら説明した方法に従って実行され得る。いくつかの例では、ブロック1410の動作の態様は、図8〜図11を参照しながら説明したように、PCRS構成要素によって実行され得る。
【０１１８】
いくつかの例では、図12、図13、または図14を参照しながら説明した方法1200、1300、または1400のうちの2つ以上からの態様が組み合わされ得る。方法1200、1300、および1400は例示的な実装形態にすぎず、方法1200、1300、または1400の動作は、他の実装形態が可能であるように並べ替えられるか、または場合によっては修正されることがあることに留意されたい。
【０１１９】
本明細書で説明する技法は、符号分割多元接続(CDMA)、時分割多元接続(TDMA)、周波数分割多元接続(FDMA)、直交周波数分割多元接続(OFDMA)、シングルキャリア周波数分割多元接続(SC-FDMA)、および他のシステムなどの様々なワイヤレス通信システムに使用され得る。「システム」および「ネットワーク」という用語は、しばしば互換的に使用される。CDMAシステムは、CDMA2000、ユニバーサル地上波無線アクセス(UTRA)などの無線技術を実装し得る。CDMA2000は、IS-2000規格、IS-95規格、およびIS-856規格をカバーする。IS-2000リリースは、一般に、CDMA2000 1X、1Xなどと呼ばれることがある。IS-856(TIA-856)は、一般に、CDMA2000 1xEV-DO、高速パケットデータ(HRPD)などと呼ばれる。UTRAは、広帯域CDMA(WCDMA(登録商標))およびCDMAの他の変形態を含む。TDMAシステムは、モバイル通信用グローバルシステム(GSM(登録商標))などの無線技術を実装し得る。
【０１２０】
OFDMAシステムは、ウルトラモバイルブロードバンド(UMB)、発展型UTRA(E-UTRA)、米国電気電子技術者協会(IEEE)802.11(Wi-Fi)、IEEE802.16(WiMAX)、IEEE802.20、Flash-OFDMなどの無線技術を実装し得る。UTRAおよびE-UTRAは、ユニバーサルモバイルテレコミュニケーションズシステム(UMTS)の一部である。3GPPロングタームエボリューション(LTE)およびLTEアドバンスト(LTE-A)は、E-UTRAを使用するユニバーサルモバイルテレコミュニケーションズシステム(UMTS)のリリースである。UTRA、E-UTRA、UMTS、LTE、LTE-A、およびGSM(登録商標)は、「第3世代パートナーシッププロジェクト」(3GPP)と称する団体からの文書に記載されている。CDMA2000およびUMBは、「第3世代パートナーシッププロジェクト2」(3GPP2)と称する団体からの文書に記載されている。本明細書で説明する技法は、上述のシステムおよび無線技術、ならびに他のシステムおよび無線技術に使用され得る。例としてLTEシステムの態様について説明する場合があり、説明の大部分においてLTE用語が使用される場合があるが、本明細書で説明する技法は、LTE適用例以外に適用可能である。
【０１２１】
本明細書で説明するそのようなネットワークを含むLTE/LTE-Aネットワークでは、発展型ノードB(eNB)という用語は、一般に、基地局を表すために使用され得る。本明細書で説明する1つまたは複数のワイヤレス通信システムは、異なるタイプの発展型ノードB(eNB)が様々な地理的領域にカバレージを提供する、異種LTE/LTE-Aネットワークを含み得る。たとえば、各eNBまたは基地局は、マクロセル、スモールセル、または他のタイプのセルに通信カバレージを提供し得る。「セル」という用語は、文脈に応じて、基地局、基地局に関連付けられたキャリアもしくはコンポーネントキャリア、またはキャリアもしくは基地局のカバレージエリア(たとえば、セクタなど)を表すために使用され得る。
【０１２２】
基地局は、基地トランシーバ局、無線基地局、アクセスポイント、無線トランシーバ、ノードB、eノードB(eNB)、ホームノードB、ホームeノードB、リモートラジオヘッド(RRH)、または何らかの他の適切な用語を含み得るか、または当業者によってそのように呼ばれることがある。基地局のための地理的カバレージエリアは、カバレージエリアの一部分のみを構成するセクタに分割され得る。本明細書で説明する1つまたは複数のワイヤレス通信システムは、異なるタイプの基地局(たとえば、マクロセル基地局またはスモールセル基地局)を含み得る。本明細書で説明するUEは、マクロeNB、スモールセルeNB、中継基地局などを含む、様々なタイプの基地局およびネットワーク機器と通信することが可能であり得る。異なる技術のための重複する地理的カバレージエリアがあってもよい。
【０１２３】
マクロセルは、一般に、比較的大きい地理的エリア(たとえば、半径数キロメートル)をカバーし、ネットワークプロバイダのサービスに加入しているUEによる無制限アクセスを可能にし得る。スモールセルは、マクロセルと比較して、マクロセルと同じまたはマクロセルとは異なる(たとえば、認可、無認可などの)周波数帯域で動作し得る低電力基地局である。スモールセルは、様々な例によれば、ピコセル、フェムトセル、およびマイクロセルを含み得る。ピコセルは、たとえば、小さい地理的エリアをカバーすることができ、ネットワークプロバイダのサービスに加入しているUEによる無制限アクセスを可能にし得る。フェムトセルも、小さい地理的エリア(たとえば、自宅)をカバーすることができ、フェムトセルとの関連付けを有するUE(たとえば、限定加入者グループ(CSG)内のUE、自宅内のユーザのためのUEなど)による制限付きアクセスを提供し得る。マクロセルのためのeNBは、マクロeNBと呼ばれることがある。スモールセルのためのeNBは、スモールセルeNB、ピコeNB、フェムトeNB、またはホームeNBと呼ばれることがある。eNBは、1つまたは複数(たとえば、2つ、3つ、4つなど)のセル(たとえば、コンポーネントキャリア)をサポートし得る。UEは、マクロeNB、スモールセルeNB、中継基地局などを含む、様々なタイプの基地局およびネットワーク機器と通信することが可能であり得る。
【０１２４】
本明細書で説明する1つまたは複数のワイヤレス通信システムは、同期動作または非同期動作をサポートし得る。同期動作の場合、基地局は同様のフレームタイミングを有することがあり、異なる基地局からの送信は時間的にほぼ整合されることがある。非同期動作の場合、基地局は異なるフレームタイミングを有することがあり、異なる基地局からの送信は時間的に整合されないことがある。本明細書で説明する技法は、同期動作または非同期動作のいずれかに使用され得る。
【０１２５】
本明細書で説明するダウンリンク送信は、順方向リンク送信と呼ばれることもあり、アップリンク送信は、逆方向リンク送信と呼ばれることもある。たとえば、図1および図2のワイヤレス通信システム100および200を含む、本明細書で説明する各通信リンクは、1つまたは複数のキャリアを含み得、各キャリアは、複数のサブキャリア(たとえば、異なる周波数の波形信号)から構成される信号であり得る。
【０１２６】
添付の図面に関して本明細書に記載した説明は、例示的な構成について説明しており、実装され得るかまたは特許請求の範囲内に入るすべての例を表すものではない。本明細書で使用する「例示的」という用語は、「例、事例、または例示として役立つ」ことを意味し、「好ましい」または「他の例よりも有利な」を意味するものではない。詳細な説明は、説明した技法の理解を与えるための具体的な詳細を含む。しかしながら、これらの技法は、これらの具体的な詳細なしに実践され得る。いくつかの事例では、説明した例の概念を不明瞭にすることを避けるために、よく知られている構造およびデバイスはブロック図の形態で示される。
【０１２７】
添付の図では、同様の構成要素または特徴は、同じ参照ラベルを有することがある。さらに、同じタイプの様々な構成要素は、参照ラベルの後に、ダッシュと、同様の構成要素を区別する第2のラベルとを続けることによって区別されることがある。第1の参照ラベルのみが本明細書で使用される場合、説明は、第2の参照ラベルにかかわらず、同じ第1の参照ラベルを有する同様の構成要素のいずれか1つに適用可能である。
【０１２８】
本明細書で説明する情報および信号は、様々な異なる技術および技法のいずれかを使用して表され得る。たとえば、上記の説明全体にわたって参照され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１２９】
本明細書の本開示に関して説明する様々な例示的なブロックおよびモジュールは、汎用プロセッサ、DSP、ASIC、FPGAもしくは他のプログラマブル論理デバイス、個別ゲートもしくはトランジスタ論理、個別ハードウェア構成要素、または本明細書で説明する機能を実行するように設計されたそれらの任意の組合せを用いて実装または実行され得る。汎用プロセッサはマイクロプロセッサであってもよいが、代替として、プロセッサは任意の従来のプロセッサ、コントローラ、マイクロコントローラ、または状態機械であってもよい。プロセッサはまた、コンピューティングデバイスの組合せ(たとえば、DSPとマイクロプロセッサの組合せ、複数のマイクロプロセッサ、DSPコアと連携する1つもしくは複数のマイクロプロセッサ、または任意の他のそのような構成)として実装され得る。
【０１３０】
本明細書で説明する機能は、ハードウェア、プロセッサによって実行されるソフトウェア、ファームウェア、またはそれらの任意の組合せにおいて実装され得る。プロセッサによって実行されるソフトウェアにおいて実装される場合、機能は、1つまたは複数の命令またはコードとしてコンピュータ可読媒体上に記憶され得るか、またはコンピュータ可読媒体を介して送信され得る。他の例および実装形態は、本開示および添付の特許請求の範囲の範囲および趣旨内にある。たとえば、ソフトウェアの性質により、上記で説明した機能は、プロセッサによって実行されるソフトウェア、ハードウェア、ファームウェア、ハードワイヤリング、またはこれらのうちのいずれかの組合せを使用して実装され得る。機能を実装する特徴は、機能の部分が異なる物理的ロケーションにおいて実装されるように分散されることを含めて、様々な位置に物理的に配置され得る。特許請求の範囲内を含めて本明細書で使用する場合、「および/または」という用語は、2つ以上の項目のリストにおいて使用されるとき、列挙された項目のうちのいずれか1つが単独で用いられ得ること、または列挙された項目のうちの2つ以上の任意の組合せが用いられ得ることを意味する。たとえば、組成物が構成要素A、B、および/またはCを含むものとして説明される場合、組成物は、Aのみ、Bのみ、Cのみ、AとBの組合せ、AとCの組合せ、BとCの組合せ、またはAとBとCの組合せを含むことができる。また、特許請求の範囲内を含めて本明細書で使用する場合、項目のリスト(たとえば、「のうちの少なくとも1つ」または「のうちの1つまたは複数」などの句で始まる項目のリスト)において使用される「または」は、たとえば、項目のリスト「のうちの少なくとも1つ」を指す句が単一のメンバーを含むそれらの項目の任意の組合せを指すような包括的リストを示す。一例として、「A、B、またはCのうちの少なくとも1つ」は、A、B、C、A-B、A-C、B-C、およびA-B-C、ならびに複数の同じ要素を有する任意の組合せ(たとえば、A-A、A-A-A、A-A-B、A-A-C、A-B-B、A-C-C、B-B、B-B-B、B-B-C、C-C、およびC-C-C、または任意の他の順序のA、B、およびC)を包含するものとする。
【０１３１】
また、本明細書で使用する「に基づいて」という句は、条件の閉集合を指すものと解釈されるべきではない。たとえば、「条件Aに基づいて」として説明される例示的なステップは、本開示の範囲から逸脱することなく、条件Aと条件Bの両方に基づき得る。言い換えれば、本明細書で使用する「に基づいて」という句は、「に少なくとも部分的に基づいて」という句と同様に解釈されるものとする。
【０１３２】
コンピュータ可読媒体は、非一時的コンピュータ記憶媒体と、ある場所から別の場所へのコンピュータプログラムの転送を容易にする任意の媒体を含む通信媒体の両方を含む。非一時的記憶媒体は、汎用または専用コンピュータによってアクセスされ得る任意の利用可能な媒体であり得る。限定ではなく例として、非一時的コンピュータ可読媒体は、RAM、ROM、電気的消去可能プログラマブル読取り専用メモリ(EEPROM)、コンパクトディスク(CD)ROMもしくは他の光ディスクストレージ、磁気ディスクストレージもしくは他の磁気ストレージデバイス、あるいは、命令またはデータ構造の形態の所望のプログラムコード手段を搬送または記憶するために使用され得、汎用もしくは専用コンピュータまたは汎用もしくは専用プロセッサによってアクセスされ得る任意の他の非一時的媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線(DSL)、または赤外線、無線、およびマイクロ波などのワイヤレス技術を使用してウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書で使用するディスク(disk)およびディスク(disc)は、CD、レーザーディスク(登録商標) (disc)、光ディスク(disc)、デジタル多用途ディスク(disc)(DVD)、フロッピーディスク(disk)およびBlu-ray(登録商標)ディスク(disc)を含み、ディスク(disk)は通常、データを磁気的に再生し、ディスク(disc)は、レーザーを用いてデータを光学的に再生する。上記の組合せも、コンピュータ可読媒体の範囲内に含まれる。
【０１３３】
本明細書での説明は、当業者が本開示を作成または使用することを可能にするために与えられる。本開示の様々な修正は、当業者に容易に明らかになり、本明細書で定義する一般原理は、本開示の範囲から逸脱することなく他の変形形態に適用され得る。したがって、本開示は、本明細書で説明する例および設計に限定されず、本明細書で開示する原理および新規の特徴と一致する最も広い範囲を与えられるべきである。
【符号の説明】
【０１３４】
100  ワイヤレス通信システム
105  基地局、eノードB(eNB)
105-a  基地局
105-b  基地局
110  地理的カバレージエリア
115  UE
115-a  UE
115-b  UE
125  通信リンク
130  コアネットワーク
132  バックホールリンク
134  バックホールリンク
200  ワイヤレス通信システム
205  報告メッセージ
210  PCRS
300  プロセスフロー
400  ブロック図
405  ワイヤレスデバイス
410  受信機
415  UE PCRSマネージャ
420  送信機
500  ブロック図
505  ワイヤレスデバイス
510  受信機
515  UE PCRSマネージャ
520  送信機
525  能力マネージャ
530  PCRS構成マネージャ
535  報告メッセージ構成要素
600  ブロック図
615  UE PCRSマネージャ
620  能力マネージャ
625  PCRS構成マネージャ
630  報告メッセージ構成要素
635  チャネル推定値構成要素
640  位相雑音構成要素
700  システム
705  デバイス
710  バス
715  UE PCRSマネージャ
720  プロセッサ
725  メモリ
730  ソフトウェア、コンピュータ可読、コンピュータ実行可能ソフトウェア
735  トランシーバ
740  アンテナ
745  入力/出力(I/O)コントローラ、I/Oコントローラ
800  ブロック図
805  ワイヤレスデバイス
810  受信機
815  基地局PCRSマネージャ
820  送信機
900  ブロック図
905  ワイヤレスデバイス
910  受信機
915  基地局PCRSマネージャ
920  送信機
925  報告メッセージマネージャ
930  PCRS構成要素
1000  ブロック図
1015  基地局PCRSマネージャ
1020  報告メッセージマネージャ
1025  PCRS構成要素
1100  システム
1105  デバイス
1110  バス
1115  基地局PCRSマネージャ
1120  プロセッサ
1125  メモリ
1130  ソフトウェア、コンピュータ可読、コンピュータ実行可能ソフトウェア
1135  トランシーバ
1140  アンテナ
1145  ネットワーク通信マネージャ
1150  基地局通信マネージャ
1200  方法
1300  方法
1400  方法
【図１】
2019535166.tif 000003
【図２】
2019535166.tif 000004
【図３】
2019535166.tif 000005
【図４】
2019535166.tif 000006
【図５】
2019535166.tif 000007
【図６】
2019535166.tif 000008
【図７】
2019535166.tif 000009
【図８】
2019535166.tif 000010
【図９】
2019535166.tif 000011
【図１０】
2019535166.tif 000012
【図１１】
2019535166.tif 000013
【図１２】
2019535166.tif 000014
【図１３】
2019535166.tif 000015
【図１４】
2019535166.tif 000016
【国際調査報告】
2019535166.tif 000017
2019535166.tif 000018
2019535166.tif 000019